(57)【要約】【課題】用紙検出装置を光学センサによって構成する場合の当該光学センサの取付作業性の向上及び取付位置精度の向上を図る。【解決手段】発光部と受光部とを備えた光学センサ３７は、その光軸が紙案内上４３の下部に形成された用紙搬送経路を遮る様に、紙案内上４３の下方に位置する紙案内後４４に取り付けられる。光学センサ３７の発光部３７ａは、用紙搬送基準位置側において、用紙搬送経路の外側から紙案内上４３に向かって突出する様に設けられており、紙案内上４３には、用紙搬送基準位置側及び紙案内後４４と対向する側に開口を有する切り欠き部４３ａが形成され、紙案内上４３をメインフレーム７に取り付ける際には、紙案内上４３を横方向にスライドさせる様にして、光学センサ３７の発光部３７ａが、切り欠き部４３の内部に配置される様に取り付ける。【選択図】図３
2008044272.tif 000002
【特許請求の範囲】
【請求項１】
被記録媒体に記録を行う記録手段と、
前記記録手段の上流側に設けられ、下流側へ被記録媒体を搬送する搬送手段と、を備えた記録装置であって、
被記録媒体搬送経路において前記搬送手段の上流側部分が、第１案内部材と、当該第１案内部材と対向して設けられる第２案内部材と、の間に形成されており、
発光部と受光部とを備えて構成され、その光軸が前記第１案内部材と前記第２案内部材との間の被記録媒体搬送経路を遮る様に設けられる光学センサを有し、
少なくとも前記発光部及び前記受光部のいずれか一方が、被記録媒体の搬送基準位置側において被記録媒体搬送経路の外側から前記第１案内部材に向かって突出する様に設けられ、
前記第１案内部材には、少なくとも被記録媒体の搬送基準位置側及び前記第２案内部材と対向する側に開口を有する切り欠き部が形成されているとともに、前記発光部または前記受光部が前記切り欠き部の内部に配置される様構成されている、
ことを特徴とする記録装置。
【請求項２】
請求項１に記載の記録装置において、前記切り欠き部において前記第２案内部材と対向する側の開口が、前記光学センサの光軸が通る領域を除いてシート材によって覆われていることを特徴とする記録装置。
【請求項３】
請求項１または２に記載の記録装置において、前記シート材が可撓性を有し、
前記第２案内部材と対向する側の開口を覆うように前記第１案内部材に巻回されることにより、前記第１案内部材に設けられることを特徴とする記録装置。
【請求項４】
請求項１から３のいずれかに記載の記録装置において、前記発光部及び前記受光部が一体に構成されているとともに、前記光学センサが前記第２案内部材に取り付けられていることを特徴とする記録装置。
【請求項５】
請求項１から４のいずれかに記載の記録装置において、前記搬送手段が、回転駆動される搬送駆動ローラと、当該搬送駆動ローラに接して従動回転する搬送従動ローラと、を備えて構成され、
前記第１案内部材が、前記搬送従動ローラを軸支するとともに、被記録媒体搬送経路を側視して揺動可能となる様に前記第１案内部材を支持するサブフレームを介して、前記記録装置の基体を構成するメインフレームに取り付けられる、
ことを特徴とする記録装置。
【請求項６】
請求項５に記載の記録装置において、前記第１案内部材の幅方向全体に渡って延びる軸体が、複数の前記搬送従動ローラを軸通し、
前記サブフレームと前記第１案内部材との間で付勢力を発揮する第１付勢手段により、前記軸体が、両側の軸端において前記第１案内部材を介して前記搬送駆動ローラに向けて付勢されるとともに、
前記サブフレームと前記軸体との間で付勢力を発揮する第２付勢手段により、前記軸体が、両側の軸端の間において直接付勢されている、
ことを特徴とする記録装置。
【請求項７】
請求項６に記載の記録装置において、被記録媒体の搬送基準位置側に配置される前記第１案内部材の幅方向寸法が、特定サイズの被記録媒体の幅方向寸法以上に設定されているとともに、前記特定サイズの被記録媒体の幅方向に渡って複数の前記搬送従動ローラが略等間隔に配置され、且つ各々の前記搬送従動ローラが被記録媒体に接する際の荷重が略均等となる様前記第１付勢手段及び前記第２付勢手段の付勢力が設定されている、
ことを特徴とする記録装置。
【請求項８】
請求項５から７のいずれかに記載の記録装置において、前記搬送従動ローラの前記搬送駆動ローラに対する接触位置が調整可能となる様、前記サブフレームの前記メインフレームに対する取付姿勢が調整可能に構成されている、
ことを特徴とする記録装置。
【請求項９】
請求項６から８のいずれかに記載の記録装置において、前記軸体と前記第１案内部材との間の摩擦力及び前記軸体と前記第２付勢手段との間の摩擦力の総和が、前記軸体と前記複数の搬送従動ローラとの間の摩擦力の総和より大きく構成されることにより、前記軸体が前記第１案内部材に対して固定状態に設けられるとともに、前記搬送従動ローラが前記軸体に対して相対的に回転する様構成されている、
ことを特徴とする記録装置。
【請求項１０】
被噴射媒体に液体噴射を行う液体噴射手段と、
前記液体噴射手段の上流側に設けられ、下流側へ被噴射媒体を搬送する搬送手段と、を備えた液体噴射装置であって、
被噴射媒体搬送経路において前記搬送手段の上流側部分が、第１案内部材と、当該第１案内部材と対向して設けられる第２案内部材と、の間に形成されており、
発光部と受光部とを備えて構成され、その光軸が前記第１案内部材と前記第２案内部材との間の被噴射媒体搬送経路を遮る様に設けられる光学センサを有し、
少なくとも前記発光部及び前記受光部のいずれか一方が、被噴射媒体の搬送基準位置側において被噴射媒体搬送経路の外側から前記第１案内部材に向かって突出する様に設けられ、
前記第１案内部材には、少なくとも被噴射媒体の搬送基準位置側及び前記第２案内部材と対向する側に開口を有する切り欠き部が形成されているとともに、前記発光部または前記受光部が前記切り欠き部の内部に配置される様構成されている、
ことを特徴とする液体噴射装置。
【発明の詳細な説明】
【技術分野】
【０００１】
本発明は、被記録媒体に記録を行う記録手段と、前記記録手段の上流側に設けられ、下流側へ被記録媒体を搬送する搬送手段と、を備えた記録装置に関する。また、本発明は液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
記録装置或いは液体噴射装置の一例としてプリンタがある。プリンタにおいては、被記録媒体或いは被噴射媒体の一例としての用紙を搬送する用紙搬送経路の所定の位置に、用紙の先端および後端の通過を検出する用紙検出装置を設け、用紙の先端或いは後端の通過を検出することで、必要な紙送り制御を行う。用紙検出装置としては、特許文献１に示される様に、用紙搬送経路に回動可能に設けられるレバー状部材と、当該レバー状部材の回動変位を検出する検出手段とを備えたものがある。また、用紙検出装置としては、特許文献１に示される接触式のもののほか、発光部と受光部とを備えて構成された非接触式の光学センサを用いることもできる。
【０００４】
【特許文献１】特開平８−２５９０３７号公報
【発明の開示】
【発明が解決しようとする課題】
【０００５】
ところで、用紙検出装置として非接触式の光学センサを用いる場合には、検出精度の観点から、発光部及び受光部を所定の取付位置に正確に取り付けるとともに、発光部と受光部とを極力用紙搬送経路に近接させて配置することが好ましい。一方で用紙搬送経路が２つの案内部材の間に形成される場合には、この案内部材が光学センサを配置する上で障害となる。そこで、用紙搬送経路が２つの案内部材によって形成される場合には、案内部材に窓孔を形成し、この窓孔の内部に光学センサを構成する発光部或いは受光部を配置する様な取り付け構造を採用することが考えられる。
【０００６】
しかしながら、プリンタの組立工程において、先ず２つの案内部材を取り付けて用紙搬送経路を形成し、その後、光学センサを取り付ける様な組立構造の場合には、光学センサを取り付ける際の作業性や、取り付け後に取付位置調整を行う際の作業性が低下する。加えて、光学センサを固定する位置が用紙搬送経路から離れてしまう為に、光学センサの取付位置精度が低下するという問題も発生する。
【０００７】
そこで本発明はこの様な問題に鑑み成されたものであり、その目的は、用紙検出装置を光学センサによって構成する場合の当該光学センサの取付作業性の向上及び取付位置精度の向上を図ることにある。
【課題を解決するための手段】
【０００８】
上記課題を解決する為に、本発明の第１の態様は、被記録媒体に記録を行う記録手段と、前記記録手段の上流側に設けられ、下流側へ被記録媒体を搬送する搬送手段と、を備えた記録装置であって、被記録媒体搬送経路において前記搬送手段の上流側部分が、第１案内部材と、当該第１案内部材と対向して設けられる第２案内部材と、の間に形成されており、発光部と受光部とを備えて構成され、その光軸が前記第１案内部材と前記第２案内部材との間の被記録媒体搬送経路を遮る様に設けられる光学センサを有し、少なくとも前記発光部及び前記受光部のいずれか一方が、被記録媒体の搬送基準位置側において被記録媒体搬送経路の外側から前記第１案内部材に向かって突出する様に設けられ、前記第１案内部材には、少なくとも被記録媒体の搬送基準位置側及び前記第２案内部材と対向する側に開口を有する切り欠き部が形成されているとともに、前記発光部または前記受光部が前記切り欠き部の内部に配置される様構成されていることを特徴とする。
【０００９】
本態様によれば、被記録媒体の通過を検出する光学センサを構成する発光部及び受光部のいずれか一方が、被記録媒体の搬送基準位置側において被記録媒体搬送経路の外側から前記第１案内部材に向かって突出する様に設けられ、前記第１案内部材には、少なくとも被記録媒体の搬送基準位置側及び前記第２案内部材と対向する側に開口を有する切り欠き部が形成されており、そして前記発光部または前記受光部が前記切り欠き部の内部に配置されるといった構造である為、記録装置の組立時には、光学センサを予め取り付けた上で、その後に第１案内部材を取り付けることが可能となる。即ち、光学センサを取り付ける際には第１案内部材が未だ取り付けられていないことから、光学センサを取り付ける際の作業性が向上するとともに、取付位置調整を容易に行うことができる。加えて、光学センサを固定する位置を、被記録媒体搬送経路に近い位置に設定することができ、光学センサの取付位置精度の低下を防止することができる。
【００１０】
本発明の第２の態様は、第１の態様に記載の記録装置において、前記切り欠き部において前記第２案内部材と対向する側の開口が、前記光学センサの光軸が通る領域を除いてシート材によって覆われていることを特徴とする。  
本態様によれば、前記切り欠き部において前記第２案内部材と対向する側の開口が、前記光学センサの光軸が通る領域を除いてシート材によって覆われているので、被記録媒体が通過する際に当該被記録媒体の先端が開口に引っ掛かることを防止することができ、被記録媒体の先端折れや、被記録媒体先端が開口に引っ掛かることによるスキューの発生を防止することができる。
【００１１】
本発明の第３の態様は、第１のまたは第２の態様に記載の記録装置において、前記シート材が可撓性を有し、前記第２案内部材と対向する側の開口を覆うように前記第１案内部材に巻回されることにより、前記第１案内部材に設けられることを特徴とする。  
本態様によれば、前記シート材が可撓性を有し、第２案内部材と対向する側の開口を覆うように第１案内部材に巻回されることにより、第１案内部材に設けられるので、前記シート材を構造簡単にして且つ低コストに設けることができる。また、光学センサが前記切り欠き部の内部に収容される様にして第１案内部材を記録装置本体に取り付ける際に、光学センサが前記シート材と干渉しても、当該シート材が可撓性を有する為に、光学センサにダメージを与えることが無い。
【００１２】
本発明の第４の態様は、第１から第３の態様のいずれかに記載の記録装置において、前記発光部及び前記受光部が一体に構成されているとともに、前記光学センサが前記第２案内部材に取り付けられていることを特徴とする。  
本態様によれば、前記発光部及び前記受光部が一体に構成されているとともに、前記光学センサが前記第２案内部材に取り付けられているので、光学センサを予め第２案内部材に取り付け、そして当該第２案内部材を記録装置の基体に取り付けることにより、光学センサを作業性容易にして取り付けることができる。また、被記録媒体搬送経路を形成する構成部材である第２案内部材に直接取り付けることで、光学センサの取付位置精度の向上を図ることができる。
【００１３】
本発明の第５の態様は、上記第１から第４の態様のいずれかに記載の記録装置において、前記搬送手段が、回転駆動される搬送駆動ローラと、当該搬送駆動ローラに接して従動回転する搬送従動ローラと、を備えて構成され、前記第１案内部材が、前記搬送従動ローラを軸支するとともに、被記録媒体搬送経路を側視して揺動可能となる様に前記第１案内部材を支持するサブフレームを介して、前記記録装置の基体を構成するメインフレームに取り付けられることを特徴とする。
【００１４】
本態様によれば、第１案内部材が、搬送従動ローラを軸支するとともに、被記録媒体搬送経路を側視して揺動可能となる様に当該第１案内部材を支持するサブフレームを介して、記録装置の基体を構成するメインフレームに取り付けられるので、第１案内部材、搬送従動ローラ、サブフレーム、のこれら構成部材及び更に他の構成部材によって予めアッセンブリを組んでおき、当該アッセンブリを記録装置の基体に取り付けることができるので、組み立て作業性が向上する。
【００１５】
本発明の第６の態様は、第５の態様に記載の記録装置において、前記第１案内部材の幅方向全体に渡って延びる軸体が、複数の前記搬送従動ローラを軸通し、前記サブフレームと前記第１案内部材との間で付勢力を発揮する第１付勢手段により、前記軸体が、両側の軸端において前記第１案内部材を介して前記搬送駆動ローラに向けて付勢されるとともに、前記サブフレームと前記軸体との間で付勢力を発揮する第２付勢手段により、前記軸体が、両側の軸端の間において直接付勢されていることを特徴とする。
【００１６】
本態様によれば、搬送従動ローラを挿通する軸体が、両側の軸端において第１案内部材を介して第１付勢手段の付勢力を受けるとともに、両側の軸端の間において、サブフレームと軸体との間で付勢力を発揮する第２付勢手段によって直接付勢されるので、複数設けられた搬送従動ローラの間で搬送駆動ローラに圧接する際の荷重を均等にすることができ、前記荷重が不均等になることに起因するスキューの発生等を防止することができる。また、搬送従動ローラが搬送駆動ローラに接する際の面圧がより均等になるために、一箇所に加重が集中することにより被記録媒体にダメージを与えることがない。
【００１７】
本発明の第７の態様は、上記第６の態様に記載の記録装置において、被記録媒体の搬送基準位置側に配置される前記第１案内部材の幅方向寸法が、特定サイズの被記録媒体の幅方向寸法以上に設定されているとともに、前記特定サイズの被記録媒体の幅方向に渡って複数の前記搬送従動ローラが略等間隔に配置され、且つ各々の前記搬送従動ローラが被記録媒体に接する際の荷重が略均等となる様前記第１付勢手段及び前記第２付勢手段の付勢力が設定されていることを特徴とする。
【００１８】
複数の搬送従動ローラが被記録媒体を搬送駆動ローラとの間で押圧するとき、搬送従動ローラの搬送駆動ローラに対する接触位置（被記録媒体搬送方向における接触位置）が、複数の搬送従動ローラの間でばらつくと、被記録媒体の送り力が幅方向でばらつく為に、スキューの原因となる。そして、特定サイズの被記録媒体に対し、複数の第１案内部材が係わっていると、第１案内部材の取付位置のばらつきにより、特定サイズの被記録媒体を押圧する複数の搬送従動ローラの間で上記接触位置ばらつきが生じ易くなる。
【００１９】
しかし本態様によれば、被記録媒体の搬送基準位置側に配置される第１案内部材の幅方向寸法が、特定サイズの被記録媒体の幅方向寸法以上に設定されているので、特定サイズの被記録媒体に対して複数の第１案内部材が係わることがなく、即ち１つの第１案内部材に設けられた搬送従動ローラのみによって特定サイズの被記録媒体が押圧されるので、上記接触位置ばらつきが防止され、スキューを防止することができる。
【００２０】
更に加えて、特定サイズの被記録媒体の幅方向に渡って複数の前記搬送従動ローラが略等間隔に配置され、且つ各々の搬送従動ローラが被記録媒体に接する際の荷重が略均等となる様第１付勢手段及び第２付勢手段の付勢力が設定されているので、被記録媒体を搬送する際のスキューの発生を確実に防止することができる。
【００２１】
本発明の第８の態様は、第５から第７の態様のいずれかに記載の記録装置において、前記搬送従動ローラの前記搬送駆動ローラに対する接触位置が調整可能となる様、前記サブフレームの前記メインフレームに対する取付姿勢が調整可能に構成されていることを特徴とする。
【００２２】
本態様によれば、搬送従動ローラの搬送駆動ローラに対する接触位置が調整可能となる様、サブフレームのメインフレームに対する取付姿勢が調整可能に構成されていることから、部品の製造精度や装置の組立精度の低下によって１つの第１案内部材に軸支される複数の搬送従動ローラの間で上述した様な接触位置ばらつきが生じても、これを矯正することができ、スキューの発生を確実に防止することができる。
【００２３】
本発明の第９の態様は、上記第６から第８の態様のいずれかにおいて、前記軸体と前記第１案内部材との間の摩擦力及び前記軸体と前記第２付勢手段との間の摩擦力の総和が、前記軸体と前記複数の搬送従動ローラとの間の摩擦力の総和より大きく構成されることにより、前記軸体が前記第１案内部材に対して固定状態に設けられるとともに、前記搬送従動ローラが前記軸体に対して相対的に回転する様構成されていることを特徴とする。
【００２４】
本態様によれば、前記軸体が前記第１案内部材に対して固定状態に設けられるとともに、前記搬送従動ローラが前記軸体に対して相対的に回転する様構成されているので、搬送従動ローラの回転時に、前記第１案内部材と前記軸体との間の摺動による異音が生じない。また、前記軸体が前記第１案内部材に対して回転してしまうと、前記軸体の撓みや偏芯によって被記録媒体の搬送精度が低下する虞があるが、前記軸体が前記第１案内部材に対して固定状態に設けられるので、その様な不具合が生じることも無い。
【００２５】
本発明の第１０の態様は、被噴射媒体に液体噴射を行う液体噴射手段と、前記液体噴射手段の上流側に設けられ、下流側へ被噴射媒体を搬送する搬送手段と、を備えた液体噴射装置であって、被噴射媒体搬送経路において前記搬送手段の上流側部分が、第１案内部材と、当該第１案内部材と対向して設けられる第２案内部材と、の間に形成されており、発光部と受光部とを備えて構成され、その光軸が前記第１案内部材と前記第２案内部材との間の被噴射媒体搬送経路を遮る様に設けられる光学センサを有し、少なくとも前記発光部及び前記受光部のいずれか一方が、被噴射媒体の搬送基準位置側において被噴射媒体搬送経路の外側から前記第１案内部材に向かって突出する様に設けられ、前記第１案内部材には、少なくとも被噴射媒体の搬送基準位置側及び前記第２案内部材と対向する側に開口を有する切り欠き部が形成されているとともに、前記発光部または前記受光部が前記切り欠き部の内部に配置される様構成されていることを特徴とする。
【発明を実施するための最良の形態】
【００２６】
以下、図１乃至図１１を参照しつつ本発明の一実施形態について説明する。図１は本発明に係る「記録装置」或いは「液体噴射装置」の一実施形態であるインクジェットプリンタ（以下「プリンタ」と言う）１の側断面概略図、図２は紙案内上ユニット９の斜視図、図３及び図４は紙案内上ユニット９の取付状態を示す斜視図（図３は装置正面側から、図４は装置背面側から見た図）、図５は紙案内上ユニット９を下方から見た平面図、図６は図５のＢ−Ｂ断面図、図７は図５のＡ−Ａ断面図、図８は図６のＣ−Ｃ断面図、図９は紙案内後４４の斜視図、図１０は紙案内後４４の取付状態を示す斜視図、図１１（Ａ）〜（Ｃ）はシ−ト材３８の取付方法を示す説明図（紙案内上４３の斜視図）である。
【００２７】
以下、図１を参照しつつプリンタ１の全体構成について概説する。プリンタ１は、装置後部にリア給送装置２を、装置底部にフロント給送装置３をそれぞれ備え、これら２つの給送装置から、搬送手段５へと「被記録媒体」或いは「被噴射媒体」としての記録用紙を給送する。記録用紙は搬送手段５によって記録手段４（記録ヘッド４８）へと搬送され、記録が実行された後、排出手段６によって図示しないスタッカへと排出される。
【００２８】
以下、用紙搬送経路上の構成要素について更に詳説する。  
リア給送装置２は、ホッパ１２と、給送ローラ１１と、リタードローラ１３と、戻しレバー１４と、更に図示しないその他の構成要素を備えている。  
ホッパ１２は板状体から成り、上部の揺動支点１２ａを中心に揺動可能に設けられ、揺動することにより、ホッパ１２上に傾斜姿勢に支持された用紙Ｐを給送ローラ１１に圧接させる圧接姿勢と、給送ローラ１１から離間させる離間姿勢と、を切り換える。
【００２９】
給送ローラ１１は円形状を成し、回転することにより、圧接した最上位の用紙Ｐを下流側へ給送する。リタードローラ１３は外周が弾性材によって形成されるとともに給送ローラ１１と圧接可能に設けられ、且つ、トルクリミッタ機構により、所定の回転抵抗が与えられた状態に設けられていて、給送ロ−ラ１１との間で用紙Ｐを挟圧することにより、用紙の重送を防止する。用紙戻しレバー１４は、給送ロ−ラ１１とリタードローラ１３との間に滞留する用紙（重送されようとした次位以降の用紙）の先端をホッパ１２上に戻す。
【００３０】
一方、プリンタ１の底部に設けられ、用紙を装置前方からセットする様構成されたフロント給送装置３は、給紙カセット２５と、ピックアップローラ２６と、給送ローラ２８と、分離ローラ２９と、アシストローラ３０と、を備えている。  
図示しないモータによって回転駆動されるピックアップローラ２６は、装置前方側から装着及び取り外し可能な給紙カセット２５にセットされた用紙Ｐの最上位のものと接して回転することにより、当該最上位の用紙Ｐを給紙カセット２５から繰り出す。給送ローラ２８は図示しないモータによって回転駆動され、給紙カセット２５から繰り出された最上位の用紙Ｐを湾曲反転させて、紙案内後４４を経て搬送駆動ローラ４１へと給送する。
【００３１】
給送ローラ２８の外周面と対向する位置には、給送ローラ２８に対して進退可能となるよう分離ローラ２９が設けられており、給紙カセット２５から最上位の用紙Ｐが繰り出される際には、給送ローラ２８に圧接してニップ点を形成することにより、給送されるべき最上位の用紙Ｐに連られて給紙カセット２５から繰り出された次位以降の用紙Ｐ先端を当該ニップ点近傍に留める。アシストローラ３０は、給送ローラ２８の外周面と接する様設けられており、用紙Ｐを給送ローラ２８との間でニップすることにより、給送ローラ２８の回転に伴う用紙Ｐの給送をアシストする。
【００３２】
次に、リア給送装置２及びフロント給送装置３の下流側には、給送される用紙Ｐを搬送手段５へと案内する紙案内後４４と、紙案内上ユニット９と、用紙Ｐの通過を検出する光学センサ３７（図３等参照）と、が設けられており、リア給送装置２及びフロント給送装置３によって給送される用紙Ｐは、「第１案内部材」としての紙案内上４３と、「第２案内部材」としての紙案内後４４との間に形成された搬送経路を進み、搬送手段５へと到達する。尚、符号４０は、リア給送装置２から給送される用紙Ｐの給送姿勢を形成するガイドローラを示している。このガイドロ−ラ４０は、紙案内上４３に自由回転可能に軸支されるが、図２以降では、ガイドロ−ラ４０の図示は省略する。
【００３３】
搬送手段５は、モータによって回転駆動される搬送駆動ローラ４１と、該搬送駆動ローラ４１に圧接して従動回転するよう紙案内上４３に軸支される搬送従動ローラ４２とを備えて構成されている。搬送駆動ローラ４１は用紙幅方向に延びる金属軸の外周面に耐摩耗性粒子がほぼ均一に分散されて成る付着層を備えて成され、搬送従動ローラ４２は外周面がポリアセタール樹脂等の低摩擦材料によって成され、搬送駆動ローラ４１の軸線方向に複数配設されている（詳細は後述）。
【００３４】
搬送手段５に到達した用紙Ｐは、搬送駆動ローラ４１と搬送従動ローラ４２とによってニップされた状態で搬送駆動ローラ４１が回転することにより、下流側の記録手段４（記録ヘッド４８）の側へと搬送される。  
記録ヘッド４８はキャリッジ４６の底部に設けられ、当該キャリッジ４６は主走査方向（図１の紙面表裏方向）に延びるキャリッジガイド軸４７にガイドされながら、図示しない駆動モータによって主走査方向に往復動する様に駆動される。また、キャリッジ４６は、複数の色毎に独立したインクカートリッジ（図示せず）を搭載し、このインクカートリッジから記録ヘッド４８へとインクが供給される。尚、キャリッジガイド軸４７は、平面視において略コの字形の形状を成すメインフレーム７に支持されている。
【００３５】
記録ヘッド４８と対向する位置には用紙Ｐを下方から支持する紙案内前４５が設けられ、当該紙案内前４５によって、用紙Ｐと記録ヘッド４８との間の間隔が規定される。  
記録手段４の下流側には、紙案内前４５からの用紙Ｐの浮き上がりを防止する補助ローラ５７と、記録の行われた用紙Ｐを排出する排出手段６とが設けられている。排出手段６は図示しないモータによって回転駆動される排出駆動ローラ５５と、当該排出駆動ローラ５５に接して従動回転する排出従動ローラ５６とを備えて構成され、記録手段４によって記録の行われた用紙Ｐは、排出駆動ローラ５５と排出従動ローラ５６とによってニップされた状態で排出駆動ローラ５５が回転駆動されることにより、装置前方側に設けられた図示しないスタッカへと排出される。
【００３６】
以上がプリンタ１の概要であり、以下図２乃至図１１を参照しながら紙案内上ユニット９について詳説する。  
搬送従動ロ−ラ４２を支持するユニット体は本実施形態において主走査方向（用紙幅方向）に２つ設けられており、本発明の実施形態に係る紙案内上ユニット９は、図３に示す様に用紙搬送基準位置側（１桁側：図３の右側）に設けられている。図２乃至図１１に示す紙案内上ユニット９は、用紙搬送基準位置側に設けられる為、搬送可能な全てのサイズの用紙が、紙案内上ユニット９と紙案内後４４との間を通過することになる。
【００３７】
図２において、紙案内上ユニット９は、サブフレ−ム８と、紙案内上４３と、軸３１と、２つのコイルばね３２と、２つのコイルばね３３と、軸体３４と、３つの搬送従動ロ−ラ４２と、シ−ト材３８と、を備えて構成されており、これら構成要素がアッセンブリされることにより、ユニット体としての紙案内上ユニット９が構成されている。
【００３８】
サブフレ−ム８は金属板材の折り曲げによって形成されており、フレ−ム係合片８ａ、８ｂによって平面視略コの字形の形状を成す様に形成されるとともに、舌片部８ｃが形成されている。フレ−ム係合片８ａ、８ｂには軸受部８ｆ、８ｇが形成されており、この軸受部８ｆ、８ｇに、軸３１が軸支されている。そしてこの軸３１を揺動中心とする様に、紙案内上４３がサブフレ−ム８に対して揺動可能に設けられ、そしてサブフレーム８（紙案内上ユニット９）がメインフレ−ム７に取り付けられることにより、紙案内上４３が用紙搬送経路を側視して揺動可能に設けられることとなる。
【００３９】
紙案内上４３は樹脂材料によって或る程度の可撓性を有する様に形成されており、上述の様にサブフレ−ム８に揺動可能に支持されるとともに、先端部において搬送従動ローラ４２の軸体３４を軸支する。軸３１は２つのコイルばね３２のコイル部と、２つのコイルばね３３のコイル部と、を挿通しており、２つのコイルばね３２はサブフレ−ム８と紙案内上４３との間で付勢力を発揮し、２つのコイルばね３３はサブフレ−ム８と軸体３４との間で付勢力を発揮する。
【００４０】
より詳しくは、コイルばね３２の一端３２ａはコイル部から搬送従動ローラ４２に向かって延び、他端３２ｂがサブフレ−ム８に形成されたフック部８ｈに掛止することにより（図４も参照）、一端３２ａが紙案内上４３を上方から付勢する。また、コイルバネ３３の一端３３ａはコイル部から軸体３４に向かって延び、他端３３ｂがサブフレ−ム８に形成されたフック部８ｈに掛止することにより、一端３２ａが直接軸体３４を付勢する。
【００４１】
軸体３４は、図６、図８に示す様に両側の軸端部において、紙案内上４３の軸受部４３ｂによって上方向への移動が規制され、中間部位において、図７、図８に示す様に紙案内上４３の軸受部４３ｃによって下方向への移動が規制されるが、この様に上下方向への移動が規制されつつも、上下方向への僅かな移動が許容される様になっている。そして軸体３４は、両側の軸端部において軸受部４３ｂを介してコイルばね３２の付勢力を受け、中間部位において、コイルばね３３の付勢力を直接受ける様になっている。
【００４２】
尚、軸体３４は搬送従動ローラ４２の回転軸を構成する部材であるが、紙案内上ユニット９へ組み込まれた後は、紙案内上４３に対しては回転せず、固定状態の軸となり、搬送従動ローラ４２が軸体３４に対して相対的に回転する。具体的には、コイルばね３３の一端３３ａが軸体３４を直接付勢するとともに搬送従動ローラ４２の内周面を低摩擦材料によって形成し或いは潤滑剤を介在させることにより、軸体３４と紙案内上４３の軸受部４３ｂとの間の摩擦力及び軸体３４とコイルばね３３の一端３３ａとの間の摩擦力の総和が、軸体３４と複数の搬送従動ローラ４２との間の摩擦力の総和より大きくなる様に構成されている。
【００４３】
これにより、搬送従動ローラ４２の回転時に、紙案内上４３と軸体３４との間の摺動による異音が生じない。また、軸体３４が紙案内上４３に対して回転してしまうと、軸体３４の撓みや偏芯によって用紙搬送精度が低下する虞があるが、軸体３４が紙案内上４３に対して固定状態に設けられるので、その様な不具合が生じることも無い。
【００４４】
ところで、図６に示す角度αは、用紙搬送経路を側視して搬送駆動ロ−ラ４１の軸芯位置と搬送従動ロ−ラ４２の軸芯位置とを結ぶ直線と、垂直線（重力方向に平行な線）との成す角度を示しており、複数の搬送従動ロ−ラ４２の間において角度αがばらつく、即ち搬送駆動ロ−ラ４１に対する搬送従動ロ−ラ４２の接触位置がばらつくと、搬送駆動ロ−ラ４１と搬送従動ロ−ラ４２とによって用紙に付与される送り力が各搬送従動ロ−ラ４２間でばらつき、その結果としてスキューが生じる虞がある。
【００４５】
この様な問題を解消する為に、本実施形態においては以下のような構成を採用する。先ず、紙案内上４３の幅方向寸法は、特定サイズの用紙幅寸法以上に設定されており、本実施形態では４インチ幅の用紙をカバーし得る寸法に設定されている。従って幅寸法が４インチ以下の用紙に対して複数の紙案内上４３が係わることがなく、即ち１つの紙案内上４３によって支持された搬送従動ローラ４２のみによって用紙が押圧されるので、１つの紙案内上４３によって支持される複数（本実施形態では３つ）の搬送従動ロ−ラ４２の間で、搬送駆動ローラ４１に対する接触位置のばらつきを抑えることができる。
【００４６】
また、図５及び図８に示す様に３つの搬送従動ロ−ラ４２は用紙幅方向にほぼ等間隔で配置されている。そして回転軸３４の両側軸端部のみならず、中央部位に付勢力が作用する様に、特に各搬送従動ロ−ラ４２の両側に必ず付勢力が作用する様に構成されるとともに、各々の搬送従動ロ−ラ４２が用紙に接する際の荷重が略均等となる様に、コイルばね３２、３３の付勢力が設定されている。従ってこれにより、各搬送従動ロ−ラ４２が用紙を押圧する力が均等となり、押圧荷重ばらつきに起因するスキューの発生を防止することができる。また、搬送従動ローラ４２が用紙に接する際の荷重が１箇所に集中しないので、用紙にダメージを与えることもない。
【００４７】
加えて、メインフレ−ム７に対する紙案内上ユニット９（サブフレ−ム８）の取付姿勢を調整可能に構成されており、これにより、搬送従動ロ−ラ４２の搬送駆動ロ−ラ４１に対する接触位置（換言すれば、図６の角度α）が３つの搬送従動ロ−ラ４２の間でばらついても、これを矯正することが可能となっている。以下、紙案内上ユニット９（サブフレ−ム８）の取付姿勢を調整可能とする構造について詳説する。
【００４８】
図２に示す様にサブフレ−ム８の舌片８ｃには長穴８ｅとボス８ｄが形成されており、メインフレ−ム７には、図３に示す様にサブフレ−ム８をメインフレ−ム７に固定する為の固定用ねじ３５を通す為の穴７ｃと、サブフレ−ム８の舌片８ｃに形成されたボス８ｄを遊挿する為の穴７ａが形成されている。サブフレ−ム８がメインフレ−ム７に取り付けられた状態において、固定用ねじ３５を緩めると、サブフレ−ム８はボス８ｄを中心に揺動可能となり（図８の矢印Ａで示す方向）、これによって紙案内上ユニット９の取付姿勢が変化する。即ち、３つの搬送従動ロ−ラ４２のうち中央の搬送従動ロ−ラ４２を基準として、両側の搬送従動ロ−ラ４２の搬送駆動ロ−ラ４１に対する接触位置（換言すれば、図６の角度α）が調節可能となる。
【００４９】
一方、サブフレ−ム８のフレ−ム係合片８ａ、８ｂはフック形状を成しており、このフレーム係合片８ａ、８ｂが、メインフレーム７に形成された被掛止部７ｂ、７ｂにそれぞれ掛止する様に構成されている。ここで、紙案内上ユニット９をメインフレーム７に取り付けると、コイルばね３２、３３の付勢力によってフレーム係合片８ａ、８ｂが被係止部７ｂ、７ｂの上縁に圧接する様になる（図７の矢印Ｂで示す方向）。そこで、この性質を利用して、フレーム係合片８ａ、８ｂと被係止部７ｂ、７ｂの上縁との間に、スペーサ３６を介在させて、紙案内ユニット９の取付姿勢を調整する。
【００５０】
例えば、紙案内ユニット９の取付姿勢を図８の時計回り方向に傾けさせる場合には、右側のフレーム係合片８ａと被係止部７ｂの上縁との間にスペーサ３６を介在させる。これにより、紙案内上４３の揺動支点が、右側（フレーム係合片８ａの側）が下方に移動することとなるので、右側の搬送従動ローラ４２（図８において符号４２Ａで示す）と搬送駆動ローラ４１との接触点が用紙搬送方向下流側（図６の右側）にシフトする（即ち、図６の角度αが大きくなる）。
【００５１】
紙案内ユニット９の取付姿勢を図８の反時計回り方向に傾けさせる場合には、上記と逆にすれば良いので、その説明は省略する。尚、上記の様にフレーム係合片８ａ、８ｂと被係止部７ｂ、７ｂの上縁との間にスペーサ３６を介在させるので、フレーム係合片８ａ、８ｂを被掛止部７ｂ、７ｂにそれぞれ掛止させた状態において、フレーム係合片８ａ、８ｂが上下に移動可能となる様な充分な許容度を持たせることが望ましい。また、紙案内ユニット９の取付姿勢を調整すると、搬送従動ローラ４２の回転軸３４の両端部を付勢する軸受部４３ｂ、４３ｂのうち、いずれか一方が上方に変位してしまうので、紙案内前４３は、可撓性を有する材料によって形成することが好ましい。これにより、紙案内ユニット９の取付姿勢を調整しても、回転軸３４の両端部を軸受部４３ｂ、４３ｂによって確実に付勢することができる。
【００５２】
以上の様に、紙案内ユニット９（サブフレーム８）のメインフレーム７に対する取付姿勢が調整可能に構成されていることから、部品の製造精度や装置の組立精度の低下によって搬送従動ローラ４２の搬送駆動ローラ４１に対する接触位置が、３つの搬送従動ローラ（図８の符号４２Ａ、４２Ｂ、４２Ｃで示す搬送従動ローラ）の間でばらついた場合であっても、これを矯正することができ、用紙を搬送する際のスキューの発生等を確実に防止することができる。
【００５３】
続いて、図９乃至図１１を参照しながら、光学センサ３７の取付構造について説明する。光学センサ３７は、発光部３７ａと受光部３７ｂとが一体となって略コの字形の形状を成す様に構成されており、その光軸が、紙案内上４３と紙案内下４４との間に形成される用紙搬送経路を遮る様に設けられ、これによって用紙先端或いは後端の通過が検出可能となる。
【００５４】
図１０は、メインフレーム７に紙案内上ユニット９を取り付ける前の状態のプリンタ基体を示すものであり、図示する様に光学センサ３７は、用紙搬送基準位置側（１桁側：図１０の右側）において、用紙搬送経路の外側から内側に向かって突出する様に設けられている。光学センサ３７は、図９に示す様に紙案内後４４に固定されており、予め紙案内後４４に取り付けた後、紙案内後４４をメインフレーム７に取り付けることで、図１０に示す様な取り付け状態となる。尚、紙案内後４４には、受光部３７ｂを露呈させる為の窓孔が予め形成されている。
【００５５】
図１０に示す取り付け状態において、発光部３７ａはちょうど紙案内上４３と干渉する位置にあり、従って紙案内上４３には、発光部３７ａを受け容れる切り欠き部４３ａが図１１に示す様に形成されている。この切り欠き部４３ａは、用紙搬送基準位置側と、紙案内後４４と対向する側とに開口を有するように形成されており、また切り欠き部４３ａにおいて紙案内後４４と対向する側の開口が、図５に示す様に光学センサ３７の光軸が通る領域を除いてシート材３８によって覆われている（図５の符号３７ｃは光学センサ３７の光軸を示している）。
【００５６】
このシート材３８は短冊形状を成し、両端部に窓孔３８ａ、３８ａが形成されているとともに、可撓性を有する材料によって形成されている。一方、紙案内上４３にはフック４３ｄが形成されていて、フック４３ｄに一方側の窓孔３８ａを掛止させ（図１１（Ｂ））、そして通し穴４３ｆを通して巻回させ、他方側の窓孔３８ａをフック４３ｄに掛止させることにより（図１１（Ｃ））、シート材３８が取り付けられる。尚、符号４３ｅはテンション付与部であり、紙案内上４３に巻回されたシート材３８を内側から外側に向けて付勢することにより、シート材３８に極端な弛みが形成されることを防止する。
【００５７】
以上説明した様に、光学センサ３７の発光部３７ａが、用紙搬送基準位置側において紙案内上４３の側面と対向する位置に、用紙搬送経路の外側から内側、即ち紙案内上４３に向かって突出する様に設けられ、そして紙案内上４３には発光部３７ａを受け容れる切り欠き部４３ａが形成されている。従って図１０の様に構成されたプリンタ１の基体に紙案内上ユニット９を取り付ける際には、紙案内上ユニット９を図１０の左方向から右方向へスライドさせるように移動させ、切り欠き部４３ａの内部に発光部３７ａが収容される様にして紙案内上ユニット９を取り付ける。
【００５８】
以上により、光学センサ３７を直接プリンタ１の基体に取り付けるのではなく、予め紙案内後４４に取り付けた上で当該紙案内後４４をメインフレーム７に取り付けることで、光学センサ３７がプリンタ１本体に取り付けられるので、光学センサ３７を取り付ける際の作業性が向上するとともに、取付位置調整を容易に行うことができる。
【００５９】
また、本実施形態の様な切り欠き部４３ａに代えて、紙案内上４３に、発光部４３ａを露呈させる為の単なる窓孔を形成する様な場合には、紙案内上ユニット９をメインフレーム７に取り付けた後に、光学センサ３７を取り付ける必要があることから、光学センサ３７の取付作業性や位置調整の際の作業性が低下する虞がある。また同時に、光学センサ３７の発光部３７ａと受光部３７ｂとを別体に構成する必要が生じる場合があるとともに、例えば発光部３７ａを固定する位置が、用紙搬送経路と直交する方向に離れてしまうので（上方向：例えばメインフレーム７のいずれかの場所）、これによって光学センサ３７の取付位置精度が低下する虞もある。しかしながら上述の様な切り欠き部４３ａを形成するので、その様な問題が生じることが無い。
【００６０】
また、切り欠き部４３ａにおいて紙案内後４４と対向する側の開口がシート材３８によって覆われているので、用紙が紙案内上４３と紙案内後４４との間を通過する際に当該用紙先端が切り欠き部４３ａの開口に引っ掛かることを防止することができ、用紙の先端折れや、用紙先端が開口に引っ掛かることによるスキューの発生を防止することができる。尚、シート材３８はこの様な機能を奏することから、表面は用紙との間の摩擦係数が低いことが好ましい。
【図面の簡単な説明】
【００６１】
【図１】本発明に係るプリンタの側断面概略図。
【図２】紙案内上ユニットの斜視図。
【図３】紙案内上ユニットの取付状態を示す斜視図。
【図４】紙案内上ユニットの取付状態を示す斜視図。
【図５】紙案内上ユニットを下方から見た平面図。
【図６】図５のＢ−Ｂ断面図。
【図７】図５のＡ−Ａ断面図。
【図８】図６のＣ−Ｃ断面図。
【図９】紙案内後の斜視図。
【図１０】紙案内後の取付状態を示す斜視図。
【図１１】（Ａ）〜（Ｃ）はシート材の取付方法を示す説明図。
【符号の説明】
【００６２】
１  インクジェットプリンタ、２  リア給送装置、３  フロント給送装置、４  記録手段、５  搬送手段、６  排出手段、７  メインフレーム、７ａ  穴、７ｂ  被掛止部、７ｃ  穴、８  サブフレーム、８ａ、８ｂ  フレーム係合片、８ｃ  舌片部、８ｄ  ボス、８ｅ  長穴、９  紙案内上ユニット、１１  給送ローラ、１２  ホッパ、１３  リタードローラ、１４  戻しレバ−、２５  給紙カセット、２６  ピックアップローラ、２８  給送ローラ、３０  アシストローラ、３１  軸、３２、３３  コイルばね、３４  軸体、３５  固定用ねじ、３６  スペ−サ、３７  光学センサ、３７ａ  発光部、３７ｂ  受光部、３８  シ−ト材、４０  ガイドローラ、４１  搬送駆動ローラ、４２  搬送従動ローラ、４３  紙案内上、４４  紙案内後、４５  紙案内前、４６  キャリッジ、４７  キャリッジガイド軸、４８  記録ヘッド、５５  排出駆動ローラ、５６  排出従動ローラ、５７  補助ローラ、Ｐ  記録用紙
【図１】
2008044272.tif 000003
【図２】
2008044272.tif 000004
【図３】
2008044272.tif 000005
【図４】
2008044272.tif 000006
【図５】
2008044272.tif 000007
【図６】
2008044272.tif 000008
【図７】
2008044272.tif 000009
【図８】
2008044272.tif 000010
【図９】
2008044272.tif 000011
【図１０】
2008044272.tif 000012
【図１１】
2008044272.tif 000013
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
被記録媒体に記録を行う記録手段と、
前記記録手段の上流側に設けられ、下流側へ被記録媒体を搬送する搬送手段と、を備えた記録装置であって、
被記録媒体搬送経路において前記搬送手段の上流側部分が、第１案内部材と、当該第１案内部材と対向して設けられる第２案内部材と、の間に形成されており、
発光部と受光部とを備えて構成され、その光軸が前記第１案内部材と前記第２案内部材との間の被記録媒体搬送経路を遮る様に設けられる光学センサを有し、
少なくとも前記発光部及び前記受光部のいずれか一方が、被記録媒体の搬送基準位置側において被記録媒体搬送経路の外側から前記第１案内部材に向かって突出する様に設けられ、
前記第１案内部材には、少なくとも被記録媒体の搬送基準位置側及び前記第２案内部材と対向する側に開口を有する切り欠き部が形成されているとともに、前記発光部または前記受光部が前記切り欠き部の内部に配置される様構成されている、
ことを特徴とする記録装置。
【請求項２】
請求項１に記載の記録装置において、前記切り欠き部において前記第２案内部材と対向する側の開口が、前記光学センサの光軸が通る領域を除いてシート材によって覆われていることを特徴とする記録装置。
【請求項３】
請求項１または２に記載の記録装置において、前記シート材が可撓性を有し、
前記第２案内部材と対向する側の開口を覆うように前記第１案内部材に巻回されることにより、前記第１案内部材に設けられることを特徴とする記録装置。
【請求項４】
請求項１から３のいずれか１項に記載の記録装置において、前記発光部及び前記受光部が一体に構成されているとともに、前記光学センサが前記第２案内部材に取り付けられていることを特徴とする記録装置。
【請求項５】
請求項１から４のいずれか１項に記載の記録装置において、前記搬送手段が、回転駆動される搬送駆動ローラと、当該搬送駆動ローラに接して従動回転する搬送従動ローラと、を備えて構成され、
前記第１案内部材が、前記搬送従動ローラを軸支するとともに、被記録媒体搬送経路を側視して揺動可能となる様に前記第１案内部材を支持するサブフレームを介して、前記記録装置の基体を構成するメインフレームに取り付けられる、
ことを特徴とする記録装置。
【請求項６】
請求項５に記載の記録装置において、前記第１案内部材の幅方向全体に渡って延びる軸体が、複数の前記搬送従動ローラを軸通し、
前記サブフレームと前記第１案内部材との間で付勢力を発揮する第１付勢手段により、前記軸体が、両側の軸端において前記第１案内部材を介して前記搬送駆動ローラに向けて付勢されるとともに、
前記サブフレームと前記軸体との間で付勢力を発揮する第２付勢手段により、前記軸体が、両側の軸端の間において直接付勢されている、
ことを特徴とする記録装置。
【請求項７】
請求項６に記載の記録装置において、被記録媒体の搬送基準位置側に配置される前記第１案内部材の幅方向寸法が、特定サイズの被記録媒体の幅方向寸法以上に設定されているとともに、前記特定サイズの被記録媒体の幅方向に渡って複数の前記搬送従動ローラが略等間隔に配置され、且つ各々の前記搬送従動ローラが被記録媒体に接する際の荷重が略均等となる様前記第１付勢手段及び前記第２付勢手段の付勢力が設定されている、
ことを特徴とする記録装置。
【請求項８】
請求項５から７のいずれか１項に記載の記録装置において、前記搬送従動ローラの前記搬送駆動ローラに対する接触位置が調整可能となる様、前記サブフレームの前記メインフレームに対する取付姿勢が調整可能に構成されている、
ことを特徴とする記録装置。
【請求項９】
請求項６から８のいずれか１項に記載の記録装置において、前記軸体と前記第１案内部材との間の摩擦力及び前記軸体と前記第２付勢手段との間の摩擦力の総和が、前記軸体と前記複数の搬送従動ローラとの間の摩擦力の総和より大きく構成されることにより、前記軸体が前記第１案内部材に対して固定状態に設けられるとともに、前記搬送従動ローラが前記軸体に対して相対的に回転する様構成されている、
ことを特徴とする記録装置。
【請求項１０】
被噴射媒体に液体噴射を行う液体噴射手段と、
前記液体噴射手段の上流側に設けられ、下流側へ被噴射媒体を搬送する搬送手段と、を備えた液体噴射装置であって、
被噴射媒体搬送経路において前記搬送手段の上流側部分が、第１案内部材と、当該第１案内部材と対向して設けられる第２案内部材と、の間に形成されており、
発光部と受光部とを備えて構成され、その光軸が前記第１案内部材と前記第２案内部材との間の被噴射媒体搬送経路を遮る様に設けられる光学センサを有し、
少なくとも前記発光部及び前記受光部のいずれか一方が、被噴射媒体の搬送基準位置側において被噴射媒体搬送経路の外側から前記第１案内部材に向かって突出する様に設けられ、
前記第１案内部材には、少なくとも被噴射媒体の搬送基準位置側及び前記第２案内部材と対向する側に開口を有する切り欠き部が形成されているとともに、前記発光部または前記受光部が前記切り欠き部の内部に配置される様構成されている、
ことを特徴とする液体噴射装置。